(57)【要約】      （修正有）【課題】追加的なアンテナから信号伝送を支援するために要求される全体ＲＳ（基準信号）オーバーヘッドの増加を避ける。【解決手段】ユーザー装置（ＵＥ）が受信された情報信号の復調を行い、チャンネル品質指示子（ＣＱＩ）メトリクスを推定できるように、多重アンテナから基準信号ＲＳ１〜ＲＳ８を伝送するノードＢに対する方法及び装置が提供される。オーバーヘッドを最小化し、レガシーシステムに逆方向の互換動作を可能にする為に、ノードＢアンテナセットの第１セットからのＲＳは、伝送時間間隔ごとに実質的には全体の動作帯域幅（ＢＷ）にわたって伝送される。ＣＱＩ推定を行うノードＢアンテナセットの第２セットからのＲＳは、実質的に全体のＢＷにわたって周期的に伝送され、伝送周期は、ノードＢによりブロードキャストシグナリングを通じてＵＥに通知され、開始伝送サブフレームは、ノードＢが支援するセルのＩＤから決定される。【選択図】図７
2014195264.tif 000002
【特許請求の範囲】
【請求項１】
ノードＢにおいて第１セット及び第２セットのうち少なくとも一つの基準信号（ＲＳ）を伝送する方法であって、
前記ノードＢは、複数の伝送シンボルで構成されるフレームで物理的な下向きリンク制御チャンネル（ＰＤＣＣＨ）で制御データ信号を伝送し、物理的な下向きリンクデータチャンネル（ＰＤＳＣＨ）で情報データ信号を伝送し、前記ＰＤＣＣＨは、前記ＰＤＳＣＨとは異なる伝送シンボルに位置し、前記方法は、
ＰＤＣＣＨ伝送シンボル及びＰＤＳＣＨ伝送シンボルの両方を通じて、前記第１セットのＲＳを伝送するステップと、
前記ＰＤＳＣＨ伝送シンボルで、前記第２セットのＲＳを伝送するステップと、を含み、
前記第１セットのＲＳは連続的に配置されるサブフレームで伝送され、
前記第２セットのＲＳは非連続的に配置されるサブフレームで伝送され、
前記第２セットのＲＳは周期的に伝送され、
前記第２セットのＲＳの伝送周期は、前記ノードＢからユーザー装置（ＵＥ）に伝送されることを特徴とする方法。
【請求項２】
前記ノードＢのレートは、前記第２セットのＲＳ伝送に利用される資源を含む前記情報データ信号に合わせることを特徴とする請求項１に記載の方法。
【請求項３】
前記ノードＢは、前記第２セットのＲＳ伝送に利用される資源から、前記情報データ信号をパンクチャリングすることを特徴とする請求項１又は２に記載の方法。
【請求項４】
前記第２セットのＲＳ伝送のためのサブフレームのうち最初のサブフレームは、セルＩＤから決定されることを特徴とする請求項１乃至３のいずれか一項に記載の方法。
【請求項５】
前記ノードＢは、第１カテゴリー及び第２カテゴリーのＵＥと通信を行い、前記第２カテゴリーのＵＥは、前記ノードＢからの受信を解釈することを特徴とする請求項１乃至４のいずれか一項に記載の方法。
【請求項６】
前記第２セットの前記ＲＳは、チャンネル品質推定を獲得するために利用されることを特徴とする請求項１乃至５のいずれか一項に記載の方法。
【請求項７】
周波数分割マルチプレクシング及び時間分割マルチプレクシングを利用して、前記第１セットのＲＳを伝送するステップと、
時間ドメイン及び周波数ドメインで、符号分割マルチプレクシングを利用して、前記第２セットのＲＳを伝送するステップと、をさらに含むことを特徴とする請求項１乃至６のいずれか一項に記載の方法。
【請求項８】
全体の動作帯域幅にわたって、前記第１セットのＲＳを伝送するステップと、
前記全体の動作帯域幅より狭い動作帯域幅の一部にわたって、前記第２セットのＲＳを伝送するステップと、を含むことを特徴とする請求項１乃至７のいずれか一項に記載の方法。
【請求項９】
制御情報信号の復調のために、前記第１セットまたは前記第２セットの要素からの前記ＲＳ伝送を前記ノードＢで結合するステップと、
データ情報信号の復調のために、前記第１セット及び前記第２セットのそれぞれの要素からＲＳを分離して伝送するステップと、をさらに含むことを特徴とする請求項１乃至８のいずれか一項に記載の方法。
【請求項１０】
前記情報データ信号の前記復調に利用されるＲＳの個数は、８であり、情報制御信号の前記復調に利用されるＲＳの個数は、４であることを特徴とする請求項９に記載の方法。
【請求項１１】
ノードＢにおいて第１セット及び第２セットのうち少なくとも一つの基準信号（ＲＳ）を伝送する装置であって、
前記ノードＢは、複数の伝送シンボルで構成されるサブフレームで物理的な下向きリンク制御チャンネル（ＰＤＣＣＨ）へ制御データ信号を伝送し、物理的な下向きリンクデータチャンネル（ＰＤＳＣＨ）へ情報データ信号を伝送し、前記ＰＤＣＣＨは、前記ＰＤＳＣＨとは異なる伝送シンボルに位置し、前記装置は、
ＰＤＣＣＨ伝送シンボル及びＰＤＳＣＨ伝送シンボルの両方を通じて、前記第１セットのＲＳを伝送する第１伝送器と、
前記ＰＤＳＣＨ伝送シンボルで、前記第２セットのＲＳを伝送する第２伝送器と、を備え、
前記第１セットのＲＳは連続的に配置されるサブフレームで伝送され、
前記第２セットのＲＳは非連続的に配置されるサブフレームで伝送され、
前記第２セットのＲＳは周期的に伝送され、
前記第２セットのＲＳの伝送周期は、前記ノードＢからユーザー装置（ＵＥ）に伝送されることを特徴とする装置。
【請求項１２】
前記ノードＢのレートは、前記第２セットのＲＳ伝送に利用される資源を含む前記情報データ信号に合わせることを特徴とする請求項１１に記載の装置。
【請求項１３】
前記ノードＢは、前記第２セットのＲＳ伝送に利用される資源から、前記情報データ信号をパンクチャリングすることを特徴とする請求項１１又は１２に記載の装置。
【請求項１４】
前記第２セットのＲＳ伝送のためのサブフレームのうち最初のサブフレームは、セルＩＤから決定されることを特徴とする請求項１１乃至１３のいずれか一項に記載の装置。
【請求項１５】
前記ノードＢは、第１カテゴリー及び第２カテゴリーのＵＥと通信を行い、前記第２カテゴリーのＵＥは、前記ノードＢからの受信を解釈することを特徴とする請求項１１乃至１４のいずれか一項に記載の装置。
【請求項１６】
前記第２セットのＲＳは、チャンネル品質推定を獲得するために利用されることを特徴とする請求項１１乃至１５のいずれか一項に記載の装置。
【請求項１７】
前記第１セットは、周波数分割マルチプレクシング及び時間分割マルチプレクシングを利用して、ＲＳを伝送し、
前記第２セットは、時間ドメイン及び周波数ドメインで、符号分割マルチプレクシングを利用して、ＲＳを伝送することを特徴とする請求項１１乃至１６のいずれか一項に記載の装置。
【請求項１８】
前記第１セットは、全体の動作帯域幅にわたって、ＲＳを伝送し、
前記第２セットは、前記全体の動作帯域幅より狭い動作帯域幅の一部にわたって、ＲＳを伝送することを特徴とする請求項１１乃至１７のいずれか一項に記載の装置。
【請求項１９】
制御情報信号の復調のために、前記第１セットまたは前記第２セットの要素からの前記ＲＳ伝送を前記ノードＢで結合するステップと、
データ情報信号の復調のために、前記第１セット及び前記第２セットのそれぞれの要素からＲＳを分離して伝送するステップと、をさらに含むことを特徴とする請求項１１乃至１８のいずれか一項に記載の装置。
【請求項２０】
前記情報データ信号の前記復調に利用されるＲＳの個数は、８であり、情報制御信号の前記復調に利用されるＲＳの個数は、４であることを特徴とする請求項１９に記載の装置。
【請求項２１】
ユーザー装置（ＵＥ）において第１セット及び第２セットのうち少なくとも一つの基準信号（ＲＳ）を受信する方法であって、
前記ＵＥは、複数の伝送シンボルで構成されるサブフレームで物理的な下向きリンク制御チャンネル（ＰＤＣＣＨ）で制御データ信号を受信し、物理的な下向きリンクデータチャンネル（ＰＤＳＣＨ）で情報データ信号を受信し、前記ＰＤＣＣＨは、前記ＰＤＳＣＨとは異なる伝送シンボルに位置し、前記方法は、
ＰＤＣＣＨ伝送シンボル及びＰＤＳＣＨ伝送シンボルの両方を通じて、前記第１セットのＲＳを受信するステップと、
前記ＰＤＳＣＨ伝送シンボルで、前記第２セットのＲＳを受信するステップと、を含み、
前記第１セットのＲＳは連続的に配置されるサブフレームで受信され、
前記第２セットのＲＳは非連続的に配置されるサブフレームで受信され、
前記第２セットのＲＳは周期的に受信され、
前記第２セットのＲＳの伝送周期は、ノードＢから受信されることを特徴とする方法。
【請求項２２】
前記ノードＢのレートは、前記第２セットのＲＳ伝送に利用される資源を含む前記情報データ信号に合わせることを特徴とする請求項２１に記載の方法。
【請求項２３】
前記ノードＢは、前記第２セットのＲＳ伝送に利用される資源から、前記情報データ信号をパンクチャリングすることを特徴とする請求項２１又は２２に記載の方法。
【請求項２４】
前記第２セットのＲＳ伝送のためのサブフレームのうち最初のサブフレームは、セルＩＤから決定されることを特徴とする請求項２１乃至２３のいずれか一項に記載の方法。
【請求項２５】
前記ノードＢは、第１カテゴリー及び第２カテゴリーのＵＥと通信を行い、前記第２カテゴリーのＵＥは、前記ノードＢからの受信を解釈することを特徴とする請求項２１乃至２４のいずれか一項に記載の方法。
【請求項２６】
前記第２セットの前記ＲＳは、チャンネル品質推定を獲得するために利用されることを特徴とする請求項２１乃至２５のいずれか一項に記載の方法。
【請求項２７】
周波数分割マルチプレクシング及び時間分割マルチプレクシングを利用して、前記第１セットのＲＳを伝送するステップと、
時間ドメイン及び周波数ドメインで、符号分割マルチプレクシングを利用して、前記第２セットのＲＳを伝送するステップと、をさらに含むことを特徴とする請求項２１乃至２６のいずれか一項に記載の方法。
【請求項２８】
全体の動作帯域幅にわたって、前記第１セットのＲＳを伝送するステップと、
前記全体の動作帯域幅より狭い動作帯域幅の一部にわたって、前記第２セットのＲＳを伝送するステップと、を含むことを特徴とする請求項２１乃至２７のいずれか一項に記載の方法。
【請求項２９】
制御情報信号の復調のために、前記第１セットまたは前記第２セットの要素からの前記ＲＳ伝送を前記ノードＢで結合するステップと、
データ情報信号の復調のために、前記第１セット及び前記第２セットのそれぞれの要素からＲＳを分離して伝送するステップと、をさらに含むことを特徴とする請求項２１乃至２８いずれか一項に記載の方法。
【請求項３０】
前記情報データ信号の前記復調に利用されるＲＳの個数は、８であり、情報制御信号の前記復調に利用されるＲＳの個数は、４であることを特徴とする請求項２９に記載の方法。
【請求項３１】
ユーザー装置（ＵＥ）において第１セット及び第２セットのうち少なくとも一つの基準信号（ＲＳ）を受信する装置であって、
前記ＵＥは、複数の伝送シンボルで構成されるサブフレームで物理的な下向きリンク制御チャンネル（ＰＤＣＣＨ）へ制御データ信号を受信し、物理的な下向きリンクデータチャンネル（ＰＤＳＣＨ）へ情報データ信号を受信し、前記ＰＤＣＣＨは、前記ＰＤＳＣＨとは異なる伝送シンボルに位置し、前記装置は、
ＰＤＣＣＨ伝送シンボル及びＰＤＳＣＨ伝送シンボルの両方を通じて前記第１セットのＲＳを受信する第１受信器と、
前記ＰＤＳＣＨ伝送シンボルで、前記第２セットのＲＳを受信する第２受信器と、を備え、
前記第１セットのＲＳは連続的に配置されるサブフレームで受信され、
前記第２セットのＲＳは非連続的に配置されるサブフレームで受信され、
前記第２セットのＲＳは周期的に受信され、
前記第２セットのＲＳの伝送周期は、ノードＢから受信されることを特徴とする装置。
【請求項３２】
前記ノードＢのレートは、前記第２セットのＲＳ伝送に利用される資源を含む前記情報データ信号に合わせることを特徴とする請求項３１に記載の装置。
【請求項３３】
前記ノードＢは、前記第２セットのＲＳ伝送に利用される資源から、前記情報データ信号をパンクチャリングすることを特徴とする請求項３１又は３２に記載の装置。
【請求項３４】
前記第２セットのＲＳ伝送のためのサブフレームのうち最初のサブフレームは、セルＩＤから決定されることを特徴とする請求項３１乃至３３のいずれか一項に記載の装置。
【請求項３５】
前記ノードＢは、第１カテゴリー及び第２カテゴリーのＵＥと通信を行い、前記第２カテゴリーのＵＥは、前記ノードＢからの受信を解釈することを特徴とする請求項３１乃至３４のいずれか一項に記載の装置。
【請求項３６】
前記第２セットの前記ＲＳは、チャンネル品質推定を獲得するために利用されることを特徴とする請求項３１乃至３５のいずれか一項に記載の装置。
【請求項３７】
前記第１セットは、周波数分割マルチプレクシング及び時間分割マルチプレクシングを利用して、ＲＳを伝送し、
前記第２セットは、時間ドメイン及び周波数ドメインで、符号分割マルチプレクシングを利用して、ＲＳを伝送することを特徴とする請求項３１乃至３６のいずれか一項に記載の装置。
【請求項３８】
前記第１セットは、全体の動作帯域幅にわたって、ＲＳを伝送し、
前記第２セットは、前記全体の動作帯域幅より狭い動作帯域幅の一部にわたって、ＲＳを伝送することを特徴とする請求項３１乃至３７のいずれか一項に記載の装置。
【請求項３９】
制御情報信号の復調のために、前記第１セットまたは前記第２セットの要素からの前記ＲＳ伝送を前記ノードＢで結合するステップと、
データ情報信号の復調のために、前記第１セット及び前記第２セットのそれぞれの要素からＲＳを分離して伝送するステップと、をさらに含むことを特徴とする請求項３１乃至３８のいずれか一項に記載の装置。
【請求項４０】
前記情報データ信号の前記復調に利用されるＲＳの個数は、８であり、情報制御信号の前記復調に利用されるＲＳの個数は、４であることを特徴とする請求項３９に記載の装置。
【発明の詳細な説明】
【技術分野】
【０００１】
本発明は、無線通信システムに係り、より具体的には、３ＧＰＰ（３ｒｄ Ｇｅｎｅｒａｔｉｏｎ Ｐａｒｔｎｅｒｓｈｉｐ Ｐｒｏｊｅｃｔ） Ｅ−ＵＴＲＡ（Ｅｖｏｌｖｅｄ Ｕｎｉｖｅｒｓａｌ Ｔｅｒｒｅｓｔｒｉａｌ Ｒａｄｉｏ Ａｃｃｅｓｓ） ＬＴＥ（Ｌｏｎｇ Ｔｅｒｍ Ｅｖｏｌｕｔｉｏｎ）の開発を考慮したＯＦＤＭＡ（Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ）に関する。
【背景技術】
【０００２】
一般的に、端末器または移動局とも称するユーザー装置（ＵＥ）は、固定されるか、または移動可能であり、無線装置、携帯電話、個人用のコンピュータ装置、無線モデムカードなどとなる。ノードＢ（または、基地局）は、一般的に固定局であり、ＢＴＳ（Ｂａｓｅ Ｔｒａｎｓｃｅｉｖｅｒ Ｓｙｓｔｅｍ）、アクセスポイント、またはその他の用語で表されることもある。
【０００３】
幾つかのタイプの信号は、通信システムの適切な機能性を支援されなければならない。下向きリンク（ＤＬ）信号は、データ信号、制御信号及び基準信号（パイロット信号とも知られる）で構成される。データ信号は、情報コンテンツを運搬し、物理的な下向きリンク共通チャンネル（ＰＤＳＣＨ）を通じてサービングノードＢからＵＥに伝達される。制御信号は、ブロードキャストまたはＵＥ特定の信号である。ブロードキャスト制御信号は、あらゆるＵＥにシステム情報を運搬する。ＵＥ特定の制御信号は、データ信号伝送のスケジューリングに関する情報をサービングノードＢからＵＥに運搬するか、または、ＵＥからサービングノードＢに運搬する。ＵＥからサービングノードＢへの信号の伝送は、通信システムの上向きリンク（ＵＬ）で発生する。サービングノードＢからＵＥへのＵＥ特定の制御信号の伝送は、物理的な下向きリンク制御チャンネル（ＰＤＣＣＨ）を通じて行われるものと仮定する。
【０００４】
下向きリンク基準信号（ＲＳ）は、データ信号または制御信号の復調を行うためのチャンネル推定、多重入力多重出力（ＭＩＭＯ）またはビーム形成受信用の位相レファレンス、セル検索及びハンドオーバーを支援する測定、またはリンク適応化及びチャンネル従属性のスケジューリングのためのＣＱＩ（Ｃｈａｎｎｅｌ Ｑｕａｌｉｔｙ Ｉｎｄｉｃａｔｉｏｎ）測定のような従来技術で知られた多重機能を実行するようにＵＥに利用される。
【０００５】
下向きリンクＲＳ伝送は、幾つかの特徴を有する。このような特徴には、時間多重化（特定の直交周波数分割マルチプレクシング（ＯＦＤＭ）シンボル間にのみ伝送）、分散性（時間及び周波数ドメインでいずれもパターンを有する）、共通性（サービングノードＢであらゆるＵＥにより受信可能）、専用性（サービングノードＢで一つまたは幾つかのＵＥのみによって受信可能）、または多重アンテナ（ＭＩＭＯ、ビーム形成、または伝送（ＴＸ）ダイバーシティを支援）を含む。
【０００６】
サービングノードＢの４個のアンテナから伝送された共通ＲＳ（ＣＲＳ）についての例示的な構造を図１に示す。図１は、３ＧＰＰ Ｅ−ＵＴＲＡ ＬＴＥで利用される一つの構造に該当する。下向きリンクデータパケット伝送時間ユニットは、１４個のＯＦＤＭシンボル１１０を備えているサブフレームであるものと仮定する。それぞれのＯＦＤＭシンボルは、ＯＦＤＭサブキャリア１２０または資源要素（ＲＥ）を備えている動作帯域幅（ＢＷ）にわたって伝送される。ノードＢ伝送アンテナは、４個であるものと仮定する。アンテナ１、アンテナ２、アンテナ３及びアンテナ４からの下向きリンクＲＳは、ＲＳ１（１３０）、ＲＳ２（１４０）、ＲＳ３（１５０）及びＲＳ４（１６０）とそれぞれ表記する。それぞれのＲＳは、下向きリンクサブフレームにわたって分散構造を有する。二つのノードＢアンテナのみが存在する場合、ノードＢアンテナ３及び４からのＲＳにより占有された該当サブキャリアは、制御またはデータ信号の伝送のために利用されてもよく、単純に空いている状態に残してもよい。アンテナ２からのＲＳにより占有されたサブキャリアに対しても、一つのアンテナのみが存在する場合、同様に適用される。ＲＳ１及びＲＳ２の時間密度は、ＲＳ３及びＲＳ４の時間密度に２倍となり、周波数密度もあらゆるＲＳに対して同一である。以後のＲＳが二つのＯＦＤＭシンボルに存在する一方、以前のＲＳは、４個のＯＦＤＭシンボルに存在する。このような不均一性に対する根拠としては、一般的に第３及び第４アンテナの使用が、例えば、２００Ｋｍ／ｈまでの中間以下のＵＥ速度と関連しており、それぞれのＲＳの時間密度が減少するが、一般的なキャリア周波数に対するチャンネル媒体の時間変移を獲得するのに十分に維持する、一方、ノードＢアンテナ３及び４からの該当ＲＳオーバーヘッドは、ノードＢアンテナ１及び２におけるものの半分になるというものである。
【０００７】
図１に示したＲＳ構造は、ＵＥがＰＤＳＣＨで下向きリンクデータパケットを受信するようにスケジューリングされる帯域幅のみを一般的に占有するＵＥ専用のＲＳ（ＤＲＳ）とは対照的に、全体の動作帯域幅を実質的に占有しているＣＲＳに該当する。これは、例えば、ＣＱＩ測定またはセル検索及びハンドオーバー測定における制御信号のように、ＣＲＳが周波数ダイバース伝送により信号を受信可能にする。しかし、ビーム形成のための位相レファレンスまたはＭＩＭＯを提供するためにのみ、ＲＳを利用しようとする場合、ＰＤＳＣＨデータパケット伝送帯域幅にわたってＵＥへ伝送されたＤＲＳでも十分である。ＰＤＣＣＨ及びＰＤＳＣＨマルチプレクシングに関する図１において、ＰＤＣＣＨ １７０は、最初のＮ個のＯＦＤＭシンボルを占有し、一方、残りの１４−Ｎ個のＯＦＤＭシンボルは、一般的にＰＤＳＣＨ伝送１８０に割り当てられるが、場合によっては同期化及びブロードキャストチャンネルの伝送を含んでもよい。
【０００８】
ＯＦＤＭ伝送器を図２に示す。情報データ２１０は、まずエンコーディングされ、コーディング及びインターリビングユニット２２０により、例えば、ターボエンコーディング及びブロックインターリビングを利用してインターリビングされる。該データは、変調器２３０で、例えば、ＱＰＳＫ、ＱＡＭ１６、またはＱＡＭ６４変調を利用して変調される。Ｓ／Ｐ（Ｓｅｒｉａｌ ｔｏ Ｐａｒａｌｌｅｌ）変換は、１：Ｍ Ｓ／Ｐコンバータ２４０でＭ個の変調シンボルを生成するように適用され、該コンバータは、後段のＭ個の直交狭帯域サブキャリアの時間重複を効果的に生成するＩＦＦＴユニット２５０に提供される。ＩＦＦＴユニット２５０から獲得されたＭ−ポイント時間ドメインブロックは、Ｍ：１ Ｐ／Ｓ（Ｐａｒａｌｌｅｌ ｔｏ Ｓｅｒｉａｌ）コンバータ２６０により直列化されて、時間ドメインＯＦＤＭ信号２７０を生成する。ＲＳ伝送は、変調されないデータ伝送として見なされる。データスクランブリング、循環前置符号の挿入、タイムウィンドイング、フィルタリングのような付加的な機能性は、従来技術における公知の事項であり、ここでは、明確性のために省略する。
【０００９】
図３に示したように、ＯＦＤＭ受信器では、逆機能が実行される。受信されたＯＦＤＭ信号３１０は、Ｓ／Ｐコンバータ３２０に提供されて、Ｍ個の受信された信号サンプルを生成し、該信号は、ＦＦＴユニット３３０に提供され、ＦＦＴユニット３３０の出力後にＰ／Ｓコンバータ３４０で直列化されて、変調器３５０とデコーディング及びデインターリビングユニット３６０に提供されて、デコーディングされたデータを生成する。図２に示したＯＦＤＭ伝送器の構造と同様に、フィルタリング、タイムウィンドイング、循環前置符号の除去、及びデスクランブリングのような従来技術における公知の機能性については、明確性のために表さない。また、ＲＳを利用するチャンネル推定のような受信器の動作も、明確性のために省略する。
【００１０】
全体の動作帯域幅は、物理的な資源ブロック（ＰＲＢ）という基本的なスケジューリングユニットで構成されてもよい。例えば、ＰＲＢは、１２個の連続的なサブキャリアで構成されてもよい。これは、それぞれのＵＥとのパケット送受信のために他のＰＲＢを割り当てることで、上向きリンクまたは下向きリンクでデータパケットを同時に伝送または受信するように、サービングノードＢがＰＤＣＣＨを通じて多重ＵＥを構成するようにする。下向きリンクにおいて、このような概念を図４に示し、７個のＵＥのうち５個のＵＥが、８個のＰＲＢ ４１０にわたって一つのサブフレームでデータを受信するようにスケジューリングされる。ＵＥ１（４２０）、ＵＥ２（４３０）、ＵＥ４（４４０）、ＵＥ５（４５０）及びＵＥ７（４６０）は、一つ以上のＰＲＢでＰＤＳＣＨ受信がスケジューリングされ、一方、ＵＥ３（４７０）及びＵＥ６（４８０）は、基準サブフレーム４９０の間にいかなるＰＤＳＣＨ受信に対してもスケジューリングされていない。ＰＲＢの割り当ては、周波数ドメインで互いに隣接するか、またはそうでなく、ＵＥは、任意の個数（動作帯域幅及びＰＲＢサイズにより決定される最大個数まで）のＰＲＢに割り当てられてもよい。
【００１１】
ノードＢスケジューラは、ＰＲＢセットにわたってスケジューリングされたＵＥからのＣＱＩフィードバックに基づいてスケジューリングされたＵＥへデータパケットを伝送するために利用されたＰＲＢを選択することができる。ＣＱＩフィードバックは、一般的に図５に示したように、ＰＲＢセットにわたって推定されたＳＩＮＲ（Ｓｉｇｎａｌ−ｔｏ−Ｉｎｔｅｒｆｅｒｅｎｃｅ ａｎｄ Ｎｏｉｓｅ Ｒａｔｉｏ）である。ノードＢスケジューラは、ＳＩＮＲが最も高いＰＲＢでＵＥへのＰＤＳＣＨ伝送をスケジューリングするために当該情報を利用することができるので、システム収率が最大になる。図５において、ＵＥ１のＳＩＮＲ ５０１、ＵＥ２のＳＩＮＲ ５０２及びＵＥ３のＳＩＮＲ ５０３は、それぞれＰＲＢセット５０４，５０６，５０５にわたって最大になり、当該ＰＤＳＣＨ伝送は、それらのＰＲＢセットにわたって行われる。
【００１２】
ＰＲＢセットが全体の動作帯域幅に該当するセットである場合、それぞれのノードＢ伝送アンテナポートに対するＲＳは、ＣＱＩ推定を獲得するために、前述したように、該動作帯域幅に必要になり、ＣＲＳの使用が要求される。図１のサブフレーム構造及びＲＳ構造において、４個のノードＢ伝送アンテナからの全体ＲＳオーバーヘッドは、全体オーバーヘッドの１４．３％と同じであり、これは、非常に大きいが、収容できないほど大きくない。
【発明の概要】
【発明が解決しようとする課題】
【００１３】
通信システムにおいて、最大及び平均支援可能なデータレートは、いくつかの要因のうち特に通信アンテナの個数によって変わる。それらのデータレートメトリクスを増加させて、帯域幅資源をさらに効率的に活用するために、追加的なアンテナがたびたび要求される。伝送アンテナの個数を増加させることで十分になったシステム収率での利得及びピークデータレートを実際に具現するためには、追加的なアンテナから信号伝送を支援するために要求される全体ＲＳオーバーヘッドの実際的な増加を避けることが必須的である。例えば、８個のノードＢ伝送アンテナにおいて、アンテナ５ないし８が図１に示したアンテナ３及び４のように減少した時間密度を有するＲＳ構造を採用しても、全体ＲＳオーバーヘッドは、全体オーバーヘッドの２３．８％となり、これは、大きくて収容できない。
【００１４】
さらに、ＵＥにＰＤＳＣＨ伝送を他の能力で支援することがたびたび望ましい。例えば、幾つかのＵＥは、最大４個のノードＢアンテナ（レガシーＵＥ）からのみＰＤＳＣＨ伝送を受信することもできる一方、他のＵＥは、最大８個のノードＢアンテナ（ノンレガシーＵＥ）からＰＤＳＣＨ伝送を受信することもできる。８個のノードＢアンテナから伝送されたＲＳに対する支援は、追加的な受信器の動作なしでも、最大４個のノードＢアンテナから伝送されたＰＤＳＣＨを受信するにあたって、レガシーＵＥの能力と衝突してはならない。
【００１５】
したがって、ノードＢ伝送アンテナの個数が増加するにつれて、ＲＳオーバーヘッドが比例的に増加することを回避する必要がある。
【００１６】
ＵＥが適したＣＱＩフィードバックを提供させることで、ノードＢで信頼性のあるデータスケジューリングを提供するためにＲＳ伝送を支援し、ノードＢ伝送アンテナの個数が増加するにつれて、ＵＥでの信頼性のある信号受信を可能にする必要もある。
【００１７】
また、さらに少ない個数のノードＢアンテナから伝送された信号のみを処理できるＵＥ受信器での信号処理に影響を及ぼさずに、多数のノードＢアンテナからＲＳ伝送を支援する必要がある。
【課題を解決するための手段】
【００１８】
したがって、本発明は、少なくとも従来技術における前述した問題点を解決するためになされたものである。本発明は、関連オーバーヘッドを制御し、ノードＢ伝送アンテナセットでレガシーサブセットのノードＢ伝送アンテナのみを利用するレガシーユーザー装置（ＵＥ）の動作に及ぼす影響を最小化しつつ、チャンネル品質指示子メトリクスを推定できるように、ノードＢ伝送アンテナセットで新規サブセットのノードＢ伝送アンテナから基準信号（ＲＳ）の伝送を可能にする方法及び装置を提供する。
【００１９】
また、本発明は、新規サブセットのノードＢ伝送アンテナからのＲＳを代替するための方法及び装置が提供される。
【００２０】
また、本発明は、ノードＢ、レガシーＵＥ及びノンレガシーＵＥが新規サブセットのノードＢ伝送アンテナからのＲＳ伝送と情報信号の伝送との間の資源衝突を解決するための方法及び装置を提供する。
【００２１】
さらに、本発明は、ノードＢがチャンネル品質指示子推定を目的として、伝送時間間隔に新規サブセットのノードＢ伝送アンテナからのＲＳ伝送をマルチプレクシングするための方法及び装置を提供する。
【００２２】
さらに、本発明は、ノードＢが情報データ信号復調を目的として、伝送時間間隔に新規サブセットのノードＢ伝送アンテナからのＲＳ伝送をマルチプレクシングするための方法及び装置を提供する。
【００２３】
最後に、本発明は、ノードＢが多重伝送時間間隔にわたってチャンネル品質指示子推定を目的として、新規サブセットのノードＢ伝送アンテナからのＲＳ伝送をマルチプレクシングし、どの伝送時間間隔で新規サブセットのノードＢ伝送アンテナからのＲＳ伝送を行うかを決定するための方法及び装置を提供する。
【００２４】
本発明の一実施形態によれば、制御情報信号が伝送される伝送時間間隔の領域に付加的に位置するレガシーサブセットのノードＢ伝送アンテナからのＲＳ伝送とは異なり、新規サブセットのノードＢ伝送アンテナからのＲＳ伝送は、データ情報信号が伝送される伝送時間間隔の領域のみで位置する。また、本発明は、ノンレガシーＵＥがデータ情報信号の受信からそれぞれの資源をパンクチャリングする一方、レガシーＵＥは、新規サブセットのノードＢ伝送アンテナからのＲＳ伝送をデータ情報信号として処理するものと見なす。
【００２５】
本発明の他の実施形態によれば、レガシーサブセットのノードＢ伝送アンテナからのＲＳ伝送が、時間分割マルチプレクシング及び周波数分割プレクシングを利用する一方、新規サブセットのノードＢ伝送アンテナからのＲＳ伝送は、時間ドメイン及び周波数ドメインで符号分割マルチプレクシングされる。
【００２６】
本発明の他の実施形態によれば、チャンネル品質指示子推定を目的とする新規サブセットのノードＢ伝送アンテナからのＲＳ伝送は、非連続的な伝送時間間隔に周期的に行われる。伝送時間間隔セットでの開始伝送時間間隔は、ノードＢが支援しているセルのＩＤにより決定され、伝送周期は、ノードＢによりブロードキャストチャンネルを通じてシグナリングされる。
【００２７】
本発明の他の実施形態によれば、レガシーサブセットのノードＢ伝送アンテナからのＲＳ伝送が、全体の動作帯域幅にわたって実質的に伝送される一方、情報信号復調を目的とする新規サブセットのノードＢ伝送アンテナからのＲＳ伝送は、動作帯域幅の一部分のみにわたって伝送される。
【発明の効果】
【００２８】
本発明は、関連オーバーヘッドを制御し、ノードＢ伝送アンテナセットでレガシーサブセットノードＢ伝送アンテナのみを利用するレガシーユーザー装置（ＵＥ）に及ぼす影響を最小化しつつ、チャンネル品質指示子メトリクスを推定できるように、ノードＢ伝送アンテナセットで新規サブセットのノードＢ伝送アンテナから基準信号（ＲＳ）の伝送を可能にする方法及び装置を提供することができる。
【図面の簡単な説明】
【００２９】
【図１】ＯＦＤＭＡ通信システムのための下向きリンクサブフレーム構造を示す図面である。
【図２】ＯＦＤＭ伝送器を示すブロック図である。
【図３】ＯＦＤＭ受信器を示すブロック図である。
【図４】ＯＦＤＭＡ通信システムにおいて、データパケット伝送のスケジューリングを示す図面である。
【図５】ユーザー装置からチャンネル品質指示子のフィードバックに基づいて、ＯＦＤＭＡ通信システムにおいて、データパケット伝送のスケジューリングを示す図面である。
【図６】チャンネル品質指示子の推定のために、周波数分割マルチプレクシングを通じてレガシーサブフレーム構造における新規基準信号の併合を示す図面である。
【図７】チャンネル品質指示子の推定のために、時間ドメイン及び周波数ドメインで符号分割マルチプレクシングを通じてレガシーサブフレーム構造における新規基準信号の併合を示す図面である。
【図８】チャンネル媒体の推定及びデータ情報信号の復調のために、時間ドメイン及び周波数ドメインで符号分割マルチプレクシングを通じてレガシーサブフレーム構造における新規基準信号の併合を示す図面である。
【図９】チャンネル媒体の推定及びデータ情報信号の復調のために、時間ドメイン及び周波数ドメインで符号分割マルチプレクシングを通じてレガシーサブフレーム構造における新規基準信号の併合を示す図面である。
【図１０】チャンネル品質指示子の推定のために、現存するサブフレーム構造における新規基準信号の周期的な伝送を示す図面である。
【発明を実施するための形態】
【００３０】
本発明の前記及びその他の形態、特徴及び利点は、図面と共に行われた次の詳細な説明からより明確になる。本発明は、図面を参照して、以下により詳細に説明する。しかし、本発明は、他の多くの形態に具現され、ここに記載された実施形態に限定されるものと解釈されてはならない。一方、それらの実施形態は、本開示を細密かつ完全にし、本発明の範囲を当業者に十分に伝達するように提供されるものである。
【００３１】
また、本発明は、単一キャリア周波数分割多重アクセス（ＳＣ−ＦＤＭＡ）通信システムと関連して説明するが、本発明は、また、一般的にあらゆる周波数分割マルチプレクシング（ＦＤＭ）システムに適用し、特に直交周波数分割多重アクセス（ＯＦＤＭＡ）、ＯＦＤＭ、ＦＤＭＡ、離散フーリエ変換（ＤＦＴ）拡散方式のＯＦＤＭ、ＤＦＴ拡散方式のＯＦＤＭＡ、単一キャリアＯＦＤＭＡ（ＳＣ−ＯＦＤＭＡ）、及びＳＣ−ＯＦＤＭに適用される。
【００３２】
本発明の実施形態におけるシステム及び方法は、ユーザー装置（ＵＥ）が情報信号を復調し、情報信号の伝送に対するチャンネル従属性のスケジューリングを可能にノードＢにフィードバックされるチャンネル品質指示子（ＣＱＩ）メトリックを推定できるように、ノードＢが基準信号（ＲＳ）を伝送する必要性に関するものである。レガシー通信システムに存在する以外に、多数のノードＢ伝送アンテナから情報信号伝送を支援することは、付加的なノードＢアンテナからのＲＳ伝送を必要とする。しかし、これは、関連したオーバーヘッド、レガシーＵＥに対する影響を最小化しなければならない一方、付加的な伝送特徴を可能にしなければならない。
【００３３】
本発明の第１目的は、全体ＲＳオーバーヘッドを比例的に増加させずに、関連したＲＳ機能性に対する所望の信頼性を提供しつつ、多重ノードＢアンテナからＲＳの伝送を導入するための方法及び手段を提供するものである。
【００３４】
本発明の第２目的は、例えば、図１で説明するように、望ましい実施形態において、最大４個のノードＢアンテナからのＲＳ伝送構造が既存の（レガシー）伝送構造であるものと仮定し、最大４個のノードＢアンテナから伝送された信号を受信するために支援するレガシーＵＥの能力を維持しつつ、付加的なノードＢアンテナからのＲＳ伝送を導入するための方法及び手段を提供するものである。この目的は、このようなレガシーＵＥへ伝送される付加的なＲＳを挿入するためのものである。
【００３５】
図６は、ノードＢアンテナ５及び６からそれぞれ伝送された基準信号ＲＳ５（６７０）及びＲＳ６（６８０）の導入を示し、それらは、図１に比べてサブフレームでＲＳ伝送構造を単に変更したことを示す。ＲＳ５及びＲＳ６により導入された付加的なオーバーヘッドは、利用可能なオーバーヘッドの４．７６％となり、全体ＲＳオーバーヘッドが利用可能なオーバーヘッドの約１９％に達する。ＰＤＣＣＨ ６９０が高々、最初のＮ個のＯＦＤＭシンボルで伝送され、システムは高々、４個のノードＢアンテナからの信号伝送を受信するように構成されたレガシーＵＥを支援しなければならないことを仮定すれば、ＲＳ５及びＲＳ６は、ＰＤＣＣＨ領域（最初のＮ個のＯＦＤＭシンボル）に存在してはならない。これは、シグナリングを制御するための同一能力を維持するために、ＰＤＣＣＨが最初のＮ＋１個のＯＦＤＭシンボルに拡張することが必要であるためである。これにより、レガシーＵＥは、ＰＤＣＣＨを成功的に受信しないこともある。また、付加的なＲＳを挿入するために、ＰＤＣＣＨが伝送されるサブキャリアをパンクチャリングすることは、ＰＤＣＣＨ受信信頼性を非常に劣化させる。ＰＤＳＣＨ ６９５とは異なり、ＰＤＣＣＨは、一般的にＨＡＲＱ（Ｈｙｂｒｉｄ Ａｕｔｏｍａｔｉｃ Ｒｅｐｅａｔｒｅ Ｑｕｅｓｔ）アプリケーションでは利得が得られず、ＰＤＳＣＨより低い受信信頼性を要求する。
【００３６】
本発明は、レガシーＵＥを支援する以外に、付加的なノードＢアンテナからのＲＳがＰＤＣＣＨ領域外に常に配置されることを考慮する。しかし、あらゆるノードＢアンテナからのＰＤＣＣＨ伝送は、あらゆるノードＢアンテナから伝送された信号の受信を支援するＵＥに依然として適用することもできることを留意する。
【００３７】
図６に続いて、図７は、ノードＢアンテナポート７及び８から伝送される基準信号ＲＳ７（７６０）及びＲＳ８（７７０）のそれぞれの導入を示す。また、ＲＳ１（７３１）、ＲＳ２（７３２）、ＲＳ３（７３３）、ＲＳ４（７３４）、ＲＳ５＋ＲＳ６＋ＲＳ７＋ＲＳ８（７４０）及びＲＳ５−ＲＳ６＋ＲＳ７−ＲＳ８（７５０）は、ノードＢアンテナ１ないし６からそれぞれ伝送される。
【００３８】
他のサブキャリア７２０（周波数分割マルチプレクシング（ＦＤＭ））または他のＯＦＤＭシンボル７１０（時間分割マルチプレクシング（ＴＤＭ））、またはそれらをいずれも占有することで、互いに直交してマルチプレクシングされる４個のノードＢ伝送アンテナからのＲＳとは異なり、ＲＳ５、ＲＳ６、ＲＳ７及びＲＳ８は、符号分割マルチプレクシング（ＣＤＭ）を通じて同一サブキャリア及び同一ＯＦＤＭシンボルでマルチプレクシングされる。ＣＤＭを利用して、ウォルシュ・アダマール（ＷＨ）符号が二つの連続するＯＦＤＭシンボルと、ＲＳ伝送を有する二つの連続するサブキャリアとでＲＳに適用される。ＷＨ符号は、次の通りである。
ＲＳ５：時間ドメインで｛１，１｝であり、周波数ドメインで｛１，１｝
ＲＳ６：時間ドメインで｛１，１｝であり、周波数ドメインで｛１，−１｝
ＲＳ７：時間ドメインで｛１，−１｝であり、周波数ドメインで｛１，１｝
ＲＳ８：時間ドメインで｛１，−１｝であり、周波数ドメインで｛１，−１｝
【００３９】
ＵＥ受信器では、逆動作がＷＨ符号のカバーリングを除去するために実行される。例えば、｛１，１｝ＷＨ符号がノードＢ伝送器に適用される場合、ＵＥ受信器は、時間または周波数で二つの連続する位置からのＲＳを合算（平均）する必要があり、一方、｛１，−１｝ＷＨ符号がノードＢ伝送器に適用される場合、ＵＥ受信器は、時間または周波数で二つの連続する位置から第２位置でのＲＳ値の符号を逆にした後でＲＳを合算（平均）する必要がある。成功的にＣＤＭを適用するための必要条件としては、直交性が受信された信号で維持されるように、チャンネル媒体の応答が二つの連続する位置内で実際的に同じでなければならない。
【００４０】
Ｓ１１及びＳ１２は、ＲＳ伝送を有する第１ＯＦＤＭシンボルで奇数及び偶数のＲＳサブキャリア上で受信された信号をそれぞれ表し、Ｓ２１及びＳ２２は、ＲＳ伝送を有する第２ＯＦＤＭシンボルで奇数及び偶数のＲＳサブキャリア上で受信された信号をそれぞれ表す。正規化要素を無視すれば、奇数及び偶数のＲＳサブキャリアでまたはそれらの間で、サブキャリアの各ＯＦＤＭシンボルでのノードＢアンテナ５ないし８へ伝送された信号に対するそれぞれのチャンネル推定は、次のように獲得される。
アンテナ５に対するチャンネル推定：Ｓ１１＋Ｓ１２＋Ｓ２１＋Ｓ２２
アンテナ６に対するチャンネル推定：Ｓ１１−Ｓ１２＋Ｓ２１−Ｓ２２
アンテナ７に対するチャンネル推定：Ｓ１１＋Ｓ１２−Ｓ２１−Ｓ２２
アンテナ８に対するチャンネル推定：Ｓ１１−Ｓ１２−Ｓ２１＋Ｓ２２
【００４１】
直交性を保存して回復する他の平均化方法も適用することもできる。例えば、偶数のＲＳサブキャリアでチャンネル推定は、偶数のＲＳサブキャリアの両側にある二つの奇数のＲＳサブキャリアを併合するか、または逆になる。
【００４２】
あらゆるＲＳに対して伝送電力が同じであることを仮定すれば、図７において、ノードＢアンテナ５ないし８からＲＳを伝送するためにＣＤＭを利用することで、受信されたそれぞれのＲＳ ＳＩＮＲは、ノードＢアンテナ３及び４から伝送されたＲＳに対して獲得されたＳＩＮＲに比べて２ファクタほど減少し、ノードＢアンテナ１及び２から伝送されたＲＳに対して獲得されたＳＩＮＲに比べて４ファクタほど減少する。これは、ノードＢアンテナ５ないし８からのＲＳに対して、４個のＲＳが同一サブキャリアを共有する一方、ノードＢアンテナ３及び４からのＲＳは、このような共有するものがなく、ノードＢアンテナ１及び２からのＲＳは、多くのサブキャリアを二回にわたって伝送されるためである。通信システムの他のセルでのＲＳが同一サブキャリアを常に占有していない場合、このＳＩＮＲの減少は、以前のファクタより小さい。
【００４３】
ノードＢアンテナ５ないし８からのＲＳに対して受信されたＳＩＮＲでの減少は、時間−周波数資源での節約によって相殺される。一般的に、８個のあらゆるノードＢアンテナを利用するＰＤＳＣＨ伝送は、遅い速度を有する相対的に高いＳＩＮＲのＵＥをターゲットとするので、チャンネル推定は、非常に正確に行われ、ＲＳ ＳＩＮＲでの小さい損失により、ＰＤＳＣＨ受信信頼性は顕著に劣化しない。さらに、最大４個のノードＢアンテナから伝送された信号の受信を支援できるレガシーＵＥは、ノードＢアンテナ５ないし８からのＲＳ伝送により影響を受けない。レガシーＵＥは、サブキャリアでＰＤＳＣＨ伝送を仮定することができ、このサブキャリアでノードＢアンテナ５ないし８からのＲＳが実際的に伝送され、ＰＤＳＣＨ受信信頼性での小さい劣化の影響が存在するが、これは、ノードＢスケジューラが変調及びコーディング方式を選択する時に予め考慮することができる。さらに、ＰＤＳＣＨは、ＨＡＲＱで利点があり、システム収率での全体的な影響は無視してもよく、一方、レガシーＵＥに対して受信器のプロセシングにはいかなる変化も不要とする。
【００４４】
結果的に、図７に示したＲＳ伝送構造は、高々４個のノードＢアンテナから伝送された信号を受信するように構成されるものと仮定されるレガシーＵＥの機能性に影響を及ぼさず、約１９％の全体オーバーヘッドを有する８個のノードＢアンテナを支援することができる。
【００４５】
図７に示したノードＢアンテナ５ないし８からのＲＳ伝送は、全体の動作帯域幅にわたっている。これは、ＲＳがあらゆるＵＥから受信される共通のＲＳ（ＣＲＳ）である場合に一般的に適している。本発明の第２目的は、ノードＢアンテナ５ないし８がＣＲＳ及びＵＥ専用のＲＳ（ＤＲＳ）の複合信号を伝送することを考慮する。後に分析されるように、これは、それぞれのＲＳオーバーヘッドを制御するための他のメカニズムを提供することができる。
【００４６】
図８は、ノードＢアンテナ５ないし８からのＤＲＳ概念を示す（これは、ノードＢアンテナ１ないし４からのＤＲＳに拡張される）。８個のあらゆるノードＢアンテナから伝送された信号を受信できる基準ＵＥは、ＯＦＤＭシンボル８１０部分がサブフレームでＰＤＳＣＨ伝送に割り当てられている間に、サブキャリア８２０のサブセット８３０でＰＤＳＣＨを受信するようにスケジューリングされている。ノードＢアンテナ１ないし４からのＣＲＳ、すなわち、ＲＳ１（８４１）、ＲＳ２（８４２）、ＲＳ３（８４３）及びＲＳ４（８４４）は、変更されないままで維持される。ノードＢアンテナ５ないし８からのＲＳ、すなわち、ＲＳ５、ＲＳ６、ＲＳ７及びＲＳ８は、図７に示したように、ＣＤＭを通じて同一サブキャリア及びＯＦＤＭシンボルでマルチプレクシングされる。特に、ノードＢアンテナ５ないし８からのＲＳ伝送を有する第１ＯＦＤＭシンボルの奇数のサブキャリアでＲＳ５＋ＲＳ６＋ＲＳ７＋ＲＳ８（８５０）が伝送され、一方、偶数のサブキャリアでＲＳ５−ＲＳ６＋ＲＳ７−ＲＳ８（８６０）が伝送される。ノードＢアンテナ５ないし８からのＲＳ伝送を有する第２ＯＦＤＭシンボルの奇数のサブキャリアでＲＳ６−ＲＳ７−ＲＳ８（８７０）が伝送され、一方、偶数のサブキャリアでＲＳ５−ＲＳ６−ＲＳ７＋ＲＳ８（８８０）が伝送される。図７と比較すれば、図８に示したノードＢアンテナ５ないし８からの付加的なＲＳオーバーヘッドはさらに小さくなり、レガシーＵＥからのＰＤＳＣＨ受信は、全部影響を受けないままで維持される。
【００４７】
ノードＢアンテナ５ないし８からのＤＲＳ伝送のための他の構造を図９に示す。ノードＢアンテナ１ないし４からのＤＲＳについて同じ構造が適用される（簡略のために図示せず）。それぞれのＤＲＳオーバーヘッドは、図８に示したＤＲＳオーバーヘッドに比べて２倍となるが、連続するサブキャリアの間、またはＣＤＭの成功的なアプリケーションに要求されるようなＲＳ伝送を有するＯＦＤＭシンボルの間で同一であることを効果的に維持するためのチャンネル媒体応答に対する制約がない。図８と同様に、８個のあらゆるノードＢアンテナから伝送された信号を受信できる基準ＵＥは、ＯＦＤＭシンボル９１０部分がサブフレームでＰＤＳＣＨ伝送に割り当てられている間に、サブキャリア９２０のサブセット９３０でＰＤＳＣＨを受信するようにスケジューリングされる。ノードＢアンテナ１ないし４からのＣＲＳ、すなわち、ＲＳ１（９４１）、ＲＳ２（９４２）、ＲＳ３（９４３）及びＲＳ４（９４４）は、変更されないままで維持される。ノードＢアンテナ５ないし８からのＲＳ、すなわち、ＲＳ５（９５０）、ＲＳ６（９６０）、ＲＳ７（９７０）及びＲＳ８（９８０）は、ＦＤＭ／ＴＤＭを利用して他のサブキャリアまたは他のＯＦＤＭシンボルでマルチプレクシングされる。
【００４８】
前述したあらゆるＲＳ構造において、サブキャリアとノードＢアンテナ５ないし８からのＲＳ伝送を有するＯＦＤＭシンボルとの分離を、ノードＢアンテナ１ないし４からのＲＳ伝送と同じであるものと表したが、これは、単に望ましい実施形態であることを留意しなければならない。ＲＳサブキャリアとＲＳ伝送を有するＯＦＤＭシンボルとの分離は、一般的にノードＢアンテナ５ないし８とノードＢアンテナ１ないし４とでは異なる。ノードＢアンテナ５ないし８からＲＳ構造が構成されてもよい。例えば、周波数選択度の小さいチャンネルにおいて、ＣＤＭは、図７または図８のように適用され、一方、周波数選択度の大きいチャンネルでは、ＦＤＭ／ＴＤＭが図６または図９のように適用される。マルチプレクシング方法は、８個のノードＢアンテナから伝送された信号の受信能力を有するＵＥによりランダムに決定されてもよく、または、サービングノードＢからブロードキャストチャンネルの１ビットを利用してシグナリングされる。
【００４９】
ノードＢアンテナ５ないし８からＤＲＳが伝送されることは、ＵＥがＰＤＳＣＨを受信するのに十分であるが、これは、一般的に周波数ダイバースされる必要があり、連続的なサブキャリアのサブセットのみで位置する必要のないＰＤＣＣＨ伝送に適用できず、ノードＢアンテナ５ないし８からスケジューリングを可能にするＣＱＩ推定に適用できない。最初の問題を解決するために、本発明の実施形態は、８個のアンテナを有するノードＢが、ＰＤＣＣＨ伝送のためにそれらのアンテナのうち単に４個のみを利用し、一方、ＰＤＳＣＨ伝送のために、ノードＢが８個のアンテナをいずれも利用できることを考慮する。
【００５０】
二番目の問題を解決するために、本発明の他の実施形態は、少なくともＵＥがアンテナ５ないし８からＣＱＩ推定を獲得可能にするために、ＣＲＳがノードＢアンテナ５ないし８から伝送されることを考慮する。それぞれのスケジューリングされたＵＥに対し、サブキャリアセットと変調及びコーディング方式のような適当なパラメータを利用して、ノードＢアンテナ５ないし８からＵＥへＰＤＳＣＨ伝送のスケジューリングをノードＢが実行するために、ＣＱＩ推定は、ＵＥにより上向きリンク通信チャンネルを通じてサービングノードＢに提供される。ノードＢアンテナ５ないし８から伝送された該ＣＲＳは、ＣＱＩ推定を主に行わせようとするものであって、それぞれのサブフレームでＰＤＳＣＨ復調を実行するために、チャンネル推定を行おうとするものではないので、ＣＲＳは、サブフレームごとに伝送される必要はなく、全体ＲＳオーバーヘッドが非常に増加することを回避する。ノードＢアンテナ５ないし８からのＰＤＳＣＨ伝送が、主に中間以下の速度を有するＵＥに対して意図されることを考慮して、時間でのＣＱＩ変移は遅く、ノードＢアンテナ５ないし８からのＣＲＳ伝送は頻繁に行われる必要はない。当然、ノードＢアンテナ５ないし８からのＣＲＳを伝送するサブフレームにおいて、ＰＤＳＣＨ受信でも利用することができ、それぞれのサブフレームであらゆるノードＢ伝送アンテナが関連される方法がそれらの伝送で利用される場合、制御チャンネルの受信で利用可能である。
【００５１】
図１０は、ノードＢアンテナ５ないし８からの例示的なＣＲＳ伝送を示す。該ＣＲＳ伝送は、５個のサブフレームごとに一回行われるものと仮定する。前述したように、サブフレーム構造は、時間ドメインにおけるＯＦＤＭシンボル１０１０及び周波数ドメインにおけるサブキャリア１０２０で構成される。ノードＢアンテナ１ないし４からのＣＲＳ、すなわち、ＲＳ１（１０３１）、ＲＳ２（１０３２）、ＲＳ３（１０３３）及びＲＳ４（１０３４）は、あらゆるサブフレームで伝送される。ノードＢアンテナ５ないし８からのＣＲＳ、すなわち、ＲＳ５（１０４５）、ＲＳ６（１０４６）、ＲＳ７（１０４７）及びＲＳ８（１０４８）は、サブフレーム４（１０５４）及びサブフレーム９（１０５９）のみで伝送される。ノードＢアンテナ５ないし８からのＤＲＳ伝送は、簡略のために図示していない。
【００５２】
ノードＢアンテナ５ないし８からのＣＲＳオーバーヘッドを最小化するために、本発明の望ましい実施形態では、それらのＣＲＳそれぞれは、一つのＯＦＤＭシンボルのみで伝送されるものと見なす。そうでなければ、ノードＢアンテナ１ないし４からのＣＲＳと同一構造は、ＵＥ受信器における同一プロセシングのために維持される。しかし、ノードＢアンテナ５ないし８それぞれからのＣＲＳは、二つのＯＦＤＭシンボルで伝送され、または、図７に示したように、ＣＤＭは、ＲＳ５、ＲＳ６、ＲＳ７及びＲＳ８の伝送に利用される。また、あらゆるノードＢアンテナ５ないし８からのＣＲＳは、一つのサブフレームで伝送されて、ＵＥがそれぞれのサブフレームのみをモニタリングさせることで、ＵＥの電力消耗を節約することができるか、またはこのようなサブフレームで伝送された特定の制御チャンネルを受信するように支援することができる。
【００５３】
ノードＢアンテナ５ないし８からのＣＲＳ伝送を有するサブフレームは、予め決定されるか、またはブロードキャストチャンネルを利用してサブノードＢによりシグナリングされる。前者の場合、ＣＲＳ伝送は、例えば、ノードＢアンテナポート５ないし８からのＣＲＳ伝送を５個のサブフレームごとに一つずつ含むように予め決定される（所定の時間−周波数位置で決定）。ノードＢアンテナ５ないし８からのＣＲＳ伝送を有する正確なサブフレームは、サブフレーム０及びサブフレーム４のように予め決定されてもよく、または、簡単にセルＩＤによって最初のサブフレームで所定のオフセットを有してもよい。例えば、第１セルＩＤに対して、第１サブフレームは、サブフレーム０であり、第２セルＩＤに対して、第１サブフレームは、サブフレーム３となる。また、ＵＥは、それらのサービングセルと初期同期化以後にセルＩＤを獲得するものと仮定する。
【００５４】
ノードＢがアンテナ５ないし８からＣＲＳを伝送するにあたって、サブフレームのブロードキャストシグナリングにより、例えば、システム負荷によって幾つかのこのような構成を支援することができる。セルがノードＢアンテナ１ないし４からのＲＳ伝送のみを支援するレガシーＵＥのために主に動作する場合、いかなるサブフレームもノードＢアンテナ５ないし８からのＣＲＳ伝送を含まない。セルが８個のあらゆるノードＢアンテナからのＲＳ伝送を支援するＵＥのために主に動作する場合、あらゆるサブフレームは、ノードＢアンテナ５ないし８からのＣＲＳ伝送を含む。当然、仲介構成が支援される。表１は、３ビットが構成を特定するためにブロードキャストチャンネルに含まれることを仮定して、ノードＢアンテナ５ないし８からのＣＲＳ伝送を有するサブフレームの可能な構成の概要を表す。
【００５５】
【表１】
2014195264.tif 000003
【００５６】
開始するサブフレームは、常に同一、例えば、６０個のサブフレームごとに第１サブフレームとなり、または、前述したようにセルＩＤによって変更される。ノードＢアンテナ５ないし８からのＣＲＳ伝送を有するサブフレームを特定するブロードキャストフィールドを解釈できないので、このフィールドは、ＣＲＳ伝送を受信できるＵＥのみで受信されるブロードキャストチャンネルに存在する。
【００５７】
本発明は、幾つかの望ましい実施形態を参照して示されて説明したが、特許請求の範囲により定義されたように本発明の趣旨と範囲を逸脱しない限り、形態と詳細において多様な変更が行われることを当業者は理解できるであろう。
【符号の説明】
【００５８】
７１０  ・・・ＯＦＤＭシンボル
７２０  ・・・ＯＦＤＭサブキャリア
７３１  ・・・ＲＳ１
７３２  ・・・ＲＳ２
７３３  ・・・ＲＳ３
７３４  ・・・ＲＳ４
７４０  ・・・ＲＳ５＋ＲＳ６＋ＲＳ７＋ＲＳ８
７５０  ・・・ＲＳ５−ＲＳ６＋ＲＳ７−ＲＳ８
７６０  ・・・ＲＳ５＋ＲＳ６−ＲＳ７−ＲＳ８
７７０  ・・・ＲＳ５−ＲＳ６−ＲＳ７＋ＲＳ８
【図１】
2014195264.tif 000004
【図２】
2014195264.tif 000005
【図３】
2014195264.tif 000006
【図４】
2014195264.tif 000007
【図５】
2014195264.tif 000008
【図６】
2014195264.tif 000009
【図７】
2014195264.tif 000010
【図８】
2014195264.tif 000011
【図９】
2014195264.tif 000012
【図１０】
2014195264.tif 000013